(57)【要約】【課題】平滑な面あるいは凸部に放音孔を設けた場合、操作者の手が放音孔を塞ぐことになるのでブザー音量が小さくなり、操作者に対して十分な情報伝達ができないことがあった。特に、暗証番号入力に使用する入力端末は手に持って操作する場合と机上に設置して使用する場合があるので、両方の使い方を考慮する必要があった。【解決手段】発音体２からのブザー音を出す放音孔５を凹部４に設け、その周囲に段差部３を配置することにより、入力端末１が設置された設置台６や操作する者の手８によって放音孔５が遮蔽されないことにより、ブザー音が聞き取りやすい入力端末を提供することを目的とする。【選択図】    図１
2004163726.tif 000002
【特許請求の範囲】
【請求項１】
筐体と、前記筐体の内部に設けられた発音体と、前記発音体の近傍であって前記筐体に設けられた段差部と、前記段差部により生じる凹部に設けられ前記発音体が発する音を外部に放音するための放音孔とを有する入力端末。
【請求項２】
筐体と、前記筐体の内部に設けられた発音体と、前記筐体の前面に設けられた入力部と、前記入力部の設けられた面の裏面に設けられた段差部と、前記段差部により生じる凹部に設けられ前記発音体が発する音を外部に放音するための放音孔を有する入力端末。
【請求項３】
段差部が筐体の端部に設けられた請求項１または２記載の入力端末。
【発明の詳細な説明】
【０００１】
【発明の属する技術分野】
本発明は、発音体を有する入力端末に関するものである。
【０００２】
【従来の技術】
一般に機器の放音孔域は、平滑な面あるいは凸部に放音孔を複数設けることにより形成される（例えば、特許文献１参照）。
【０００３】
このように機器が据付型である場合、操作者の手が放音孔域を塞ぐことによりブザー音量が小さくなることは稀であった。
【０００４】
しかし、操作者が機器を手に持って操作する手持ち型機器の場合、操作者の持ち方に依存して、操作者の手が放音孔上に位置することがあった。
【０００５】
【特許文献１】
特開平２−２４０６９８号公報（第１図および第３図）
【０００６】
【発明が解決しようとする課題】
平滑な面あるいは凸部に放音孔を設けた場合、操作者の手が放音孔を塞ぐことになるのでブザー音量が小さくなり、操作者に対して十分な情報伝達ができないことがあった。
【０００７】
特に、暗証番号入力に使用する入力端末は手に持って操作する場合と机上に設置して使用する場合があるので、両方の使い方を考慮する必要があった。
【０００８】
本発明は、入力端末に設けられた発音体が発する音が聞き取りやすい入力端末を提供することを目的とする。
【０００９】
【課題を解決するための手段】
本発明の第１の入力端末は、筐体と、前記筐体の内部に設けられた発音体と、前記発音体の近傍にあって前記筐体に設けられた段差部と、前記段差部により生じる凹部に設けられ前記発音体が発するブザー音を外部に発する放音孔とを有する。入力端末を水平な設置台に設置したときは放音孔が凹部にあるので、前記水平な台と放音孔とが互いに接触しない位置関係にある。
【００１０】
本発明の第２の入力端末は、筐体と、前記筐体の内部に設けられた発音体と、前記筐体の前面に設けられた入力部と、前記入力部の設けられた面の裏面に設けられた段差部と、前記段差部により生じる凹部に設けられ前記発音体が発する音を外部に放音するための放音孔とを有し、前記入力部を操作するために入力端末を手で持ったときは、前記段差部に操作する者の手の平が接触し、手の平と前記筐体との間の操作する者側に空間が生じる。
【００１１】
本発明の第３の入力端末は、段差部が筐体の端部に設けられている。
【００１２】
【発明の実施の形態】
（実施の形態１）
図１に本実施の形態の入力端末を示す。
【００１３】
図１に示す入力端末において、１は入力端末本体、２は入力端末本体１の内部に設けられた発音体、３は発音体２の近傍に有り入力端末本体１に設けられた段差部、４は段差部３により生じる凹部、５は発音体２が発する音を外部に放音するために凹部４に設けられた放音孔、６は入力端末を置く置台を示している。
【００１４】
本実施の形態の入力端末は、入力端末本体１の内部に発音体２を設け、発音体２から発するブザー音を外部へ放音するための放音孔５を発音体２の近傍に設けている。
【００１５】
そして、入力端末本体１に段差部３を設け、この段差部３により生じた凹部４に放音孔５を設けている。
【００１６】
このように、放音孔５は凹部４に設けられているので、入力端末本体１を水平な置台６に置いた場合でも置台６の表面によって放音孔５が遮蔽されることは無く、放音孔５から放出された音は置台６の表面により反射して反射音となり聞き取りやすくなる。
【００１７】
以上のように、放音孔５を凹部４に設けることにより、置台６に入力端末を置いた場合でも置台６の表面によって放音孔５が遮蔽されることはなく、さらに、置台６の表面で放射音が反射されるので、より放射音が聞き取りやすくなる。
【００１８】
（実施の形態２）
図２に本実施の形態の入力端末を示す。
【００１９】
実施の形態１と同様の構成については同一の番号を付して詳細な説明を省略する。
【００２０】
図２に示す入力端末において、７は入力端末本体１の前面に設けられた入力部であり、８は入力端末本体１を操作する者の手である。
【００２１】
図２に示すように、入力端末本体１の前面に入力部７を設け、入力部７の反対側の面に放音孔５を設けることにより、操作者が入力部７を操作するために入力端末本体１を手８で持った場合でも、手８が段差部３に接触せず、凹部４を手８で遮蔽することはない。
【００２２】
また、凹部４と操作する者の手８によって空間が生じ、放射音が手８で反射して反射音となるので音が聞き取りやすくなる。
【００２３】
（実施の形態３）
図３に本実施の形態の入力端末を示す。
【００２４】
実施の形態１または実施の形態２と同様の構成については同一の番号を付して詳細な説明を省略する。
【００２５】
図３に示す入力端末において、段差部３が入力端末本体１の端部に設けられることにより、入力端末本体１を手８で持って操作した場合でも、手８により放音孔５が塞がれることはない。そして、手８と凹部４によって作り出される空間の端部側が外部に対して開放となり、手８による反射音がより外部へと放音されやすくなり音が聞き取りやすくなる。
【００２６】
なお、本発明は、入力端末だけに限られるものでは無く、音声やブザー出力を備えた機器、例えば携帯電話などにも適用することができる。
【００２７】
【発明の効果】
以上のように、本発明によれば、入力端末に段差部を設け、この段差部により生じる凹部に発音体が発する音を外部に放音するための放音孔を設けることにより、入力端末を台に置いた場合や手に持った場合においても、発音体が発する音を聞き取りやすい入力端末を実現することができる。
【図面の簡単な説明】
【図１】本発明の実施の形態１における入力端末の部分断面図
【図２】本発明の実施の形態２における入力端末の部分断面図
【図３】本発明の実施の形態３における入力端末の外観図（ａ）側面図
（ｂ）正面図
（ｃ）下面図
【符号の説明】
１  入力端末
２  発音体
３  段差部
４  凹部
５  放音孔
６  設置台
７  入力部
８    手
【図１】
2004163726.tif 000003
【図２】
2004163726.tif 000004
【図３】
2004163726.tif 000005